(57)【要約】【課題】スリット状の吹出口から吹き出される温風に、該吹出口の長手方向における温度勾配を与え、かつ吹出口から吹き出される温風の量を該長手方向において均一にすることができる温風装置を提供する。【解決手段】温風装置は、温風を吹き出すスリット状の吹出口を有するノズルと、温度が異なる気体をそれぞれ送風する２つの送風部と、各送風部から送風された気体がそれぞれ各別に流入する第１流入孔２３ｃ及び第２流入孔２３ｄを有し、第１及び第２流入孔２３ｃ，２３ｄから流入した気体を混合し、前記ノズルへ供給する混合室２３とを備える。第１流入孔２３ｃ及び第２流入孔２３ｄは、前記吹出口の長手方向に略平行な方向に沿って各複数形成されており、第１流入孔２３ｃの開口面積は前記方向の一端側の方が他端側に比べて小さく、前記方向に沿った各箇所における第１流入孔２３ｃの開口面積と、第２流入孔２３ｄの開口面積との和が略等しい。【選択図】図４
2020143877.tif 000002
【特許請求の範囲】
【請求項１】
温風を吹き出すスリット状の吹出口を有するノズルを備え、該ノズルから対象物へ温風を吹き出す温風装置において、
温度が異なる気体をそれぞれ送風する２つの送風部と、
各送風部から送風された気体がそれぞれ各別に流入する流入孔を有し、各流入孔から流入した気体を混合し、前記ノズルへ供給する混合室と
を備え、
一方の前記送風部から送風された気体が流入する前記流入孔及び他方の前記送風部から送風された気体が流入する前記流入孔は、前記吹出口の長手方向に略平行な方向に沿って各複数形成されており、一方の前記流入孔の開口面積は前記方向の一端側の方が他端側に比べて小さく、前記方向に沿った各箇所における一方の前記流入孔の開口面積と、他方の前記流入孔の開口面積との和が略等しい温風装置。
【請求項２】
前記方向における複数の前記流入孔の開口面積の変化率は一定である
請求項１に記載の温風装置。
【請求項３】
前記流入孔を部分的に塞ぐ規制板を備える
請求項１又は請求項２に記載の温風装置。
【請求項４】
前記流入孔は前記方向に交差する長孔であり、
前記規制板は複数の前記長孔に亘る直線的な稜線を有し、各長孔を部分的に閉鎖している
請求項３に記載の温風装置。
【請求項５】
前記送風部から送風された気体を整流して前記流入孔へ流入させる整流部を備える
請求項１から請求項４までのいずれか一つに記載の温風装置。
【請求項６】
前記整流部は、
前記方向における長さが前記吹出口よりも長く、前記送風部から送風された気体が前記方向へ通流するダクトと、
前記方向に沿って前記ダクトに形成されており、前記ダクトを通流する気体を前記流入孔へ送出する整流孔と
を備え、
前記ダクトは、
前記方向における気体の通流方向下流側の方が、通流方向上流側に比べて狭い
請求項５に記載の温風装置。
【発明の詳細な説明】
【技術分野】
【０００１】
本発明は、温風を吹き出すスリット状の吹出口を有するノズルを備えた温風装置に関する。
【背景技術】
【０００２】
帯状体に液体を塗布する塗工装置の下流側に配され、帯状体へ熱風を吹き出すことにより、帯状体を乾燥させる乾燥装置がある（例えば、特許文献１，２）。特許文献１の乾燥装置は、帯状体に対して垂直な方向へ熱風を吹き出すスリット状の吹出口が形成されたノズルを備える。
【０００３】
帯状体の表面に対して垂直に熱風を吹き付けた場合、帯状体の端部において熱風が裏面側に回り込むため、吹出口から均一な熱風を吹き出したとしても、帯状体の端部の方が高温になる傾向がある。
【０００４】
特許文献１に係る吹出口は、斯かる問題を解決すべく、帯状体の幅方向に相当する中央部から端部にかけて緩やかな円弧状をなし、帯状体の搬送方向における開口幅が前記端部に比べて中央部の方が長くなるように形成されている。特許文献１の乾燥装置によれば、帯状体の幅方向中央部における熱風の量を端部に比べて増加させることができ、帯状体の幅方向において生ずる温度差を無くすことができる。
【先行技術文献】
【特許文献】
【０００５】
【特許文献１】特開２００４−１８４００９号公報
【特許文献２】特開平５−１２４０４７号公報
【発明の概要】
【発明が解決しようとする課題】
【０００６】
一方、帯状体に施す処理内容によっては、吹出口から吹き出される熱風に、該吹出口の長手方向における温度勾配を与え、かつ吹出口から吹き出される熱風の量を該長手方向において均一にすることが求められている。
【０００７】
本発明は斯かる事情に鑑みてなされたものであり、その目的は、スリット状の吹出口から吹き出される温風に、該吹出口の長手方向における温度勾配を与え、かつ吹出口から吹き出される温風の量を該長手方向において均一にすることができる温風装置を提供することにある。
【課題を解決するための手段】
【０００８】
本発明に係る温風装置は、温風を吹き出すスリット状の吹出口を有するノズルを備え、該ノズルから対象物へ温風を吹き出す温風装置において、温度が異なる気体をそれぞれ送風する２つの送風部と、各送風部から送風された気体がそれぞれ各別に流入する流入孔を有し、各流入孔から流入した気体を混合し、前記ノズルへ供給する混合室とを備え、一方の前記送風部から送風された気体が流入する前記流入孔及び他方の前記送風部から送風された気体が流入する前記流入孔は、前記吹出口の長手方向に略平行な方向に沿って各複数形成されており、一方の前記流入孔の開口面積は前記方向の一端側の方が他端側に比べて小さく、前記方向に沿った各箇所における一方の前記流入孔の開口面積と、他方の前記流入孔の開口面積との和が略等しい。
【０００９】
本発明にあっては、一方の送風部から送風された気体は一方の流入孔を通じて混合室へ流入し、他方の送風部から送風された気体は他方の流入孔を通じて混合室へ流入する。各送風部から送風される気体の温度は異なる。従って、混合室には各流入孔を通じて、異なる温度の気体が流入する。
前記一方の流入孔と、前記他方の流入孔とは、吹出口の長手方向に略平行な方向に沿って各複数形成されており、前記一方の流入孔の開口面積は前記方向の一端側の方が他端側に比べて小さく、前記方向に沿った各箇所における前記一方の流入孔の開口面積と、前記他方の流入孔の開口面積との和が略等しい。従って、混合室で混合した気体の量は、前記吹出口の長手方向において均一である。また、前記一方の流入孔の開口面積は前記方向の一端側の方が他端側に比べて小さいため、混合室で混合した気体の温度は、吹出口の長手方向において温度勾配を有する。
よって、混合室からノズルへ供給され、吹出口から吹き出される気体の量は、吹出口の長手方向において均一である。また吹出口から吹き出される温風は前記長手方向において温度勾配を有する。
なお、吹出口から吹き出される温風の温度及び温度勾配の態様は特に限定されるものでは無く、温風には高温の熱風も含まれる。
【００１０】
本発明に係る温風装置は、前記方向における複数の前記流入孔の開口面積の変化率は一定である。
【００１１】
本発明にあっては、吹出口の長手方向における複数の前記流入孔の開口面積の変化率は一定であるため、混合室で混合した気体の温度は、吹出口の長手方向において直線的な温度勾配を有する。
【００１２】
本発明に係る温風装置は、前記流入孔を部分的に塞ぐ規制板を備える。
【００１３】
本発明にあっては、規制板によって流入孔を部分的に塞ぐことにより、流入孔の開口面積を規定することができる。従って、流入孔の開口面積の調整が容易である。
【００１４】
本発明に係る温風装置は、前記流入孔は前記方向に交差する長孔であり、前記規制板は複数の前記長孔に亘る直線的な稜線を有し、各長孔を部分的に閉鎖している。
【００１５】
本発明にあっては、流入孔は長孔であり、規制板は直線的な稜線部分が各長孔に亘り、該長孔を部分的に閉鎖している。従って、吹出口の長手方向における流入孔の開口面積の変化率を一定にすることが可能である。
【００１６】
本発明に係る温風装置は、前記送風部から送風された気体を整流して前記流入孔へ流入させる整流部を備える。
【００１７】
本発明にあっては、混合室の流入孔に流入する気体は、整流部によって整流されて流入する。従って、吹出口から吹き出される温風の量の均一性を向上させることができる。また、混合室にて混合する気体に対して所望の温度勾配を精度良く与えることができる。
【００１８】
本発明に係る温風装置は、前記整流部は、前記方向における長さが前記吹出口よりも長く、前記送風部から送風された気体が前記方向へ通流するダクトと、前記方向に沿って前記ダクトに形成されており、前記ダクトを通流する気体を前記流入孔へ送出する整流孔とを備え、前記ダクトは、前記方向における気体の通流方向下流側の方が、通流方向上流側に比べて狭い。
【００１９】
本発明にあっては、送風部から送風された気体は、ダクト内を吹出口の長手方向へ通流する。ダクトを通流する気体は、前記長手方向に沿って形成された整流孔によって整流され、混合室の流入孔に流入する。ダクトを通流する気体の風量は、通流方向下流側の方が上流側に比べて小さくなるが、ダクトは通流方向下流側の方が上流側に比べて狭く形成されているため、ダクトを通流する気体の風量の減少を抑えることができる。従って、流入孔から混合室に流入する気体の量は、流入孔の開口面積に略比例する。
よって、吹出口から吹き出される温風の量の均一性を向上させることができる。また、混合室にて混合する気体に対して所望の温度勾配を精度良く与えることができる。
【発明の効果】
【００２０】
本発明によれば、スリット状の吹出口から吹き出される温風に、該吹出口の長手方向における温度勾配を与え、かつ吹出口から吹き出される温風の量を該長手方向において均一にすることができる。
【図面の簡単な説明】
【００２１】
【図１】実施形態１に係る温風装置の正面図である。
【図２】温風装置の側面図である。
【図３】温風装置の斜視図である。
【図４】温度勾配付与部の要部を示す分解斜視図である。
【図５】図２のV−V線断面図である。
【図６】図１のVI−VI線断面図である。
【図７】図１のVII−VII線断面図である。
【図８】図１のVIII−VIII線断面図である。
【図９】図８のIX−IX線断面図である。
【図１０】混合室前板の正面図である。
【図１１】ノズルの側断面図である。
【図１２】第１及び第２送風部から第１及び第２ダクトに流入した気体の状態を示す概念図である。
【図１３】第１及び第２案内室から混合室へ流入する気体の風量を示す概念図である。
【図１４】第１及び第２送風部から第１及び第２案内室を経由して混合室に流入する気体の風量、及び混合室に流入した気体の混合状態を示す概念図である。
【図１５】温風装置から吹き出される気体の温度測定結果を示すグラフである。
【図１６】第１送風部から送風される気体の温度を、第２送風部から送風される気体の温度に比べて高温に設定した温風装置から吹き出される気体の温度測定結果を示すグラフである。
【図１７】実施形態２に係る温風勾配付与部の分解斜視図である。
【発明を実施するための形態】
【００２２】
以下、本発明をその実施の形態を示す図面に基づいて詳述する。
（実施形態１）
図１は実施形態１に係る温風装置の正面図、図２は温風装置の側面図、図３は温風装置の斜視図である。実施形態１に係る温風装置は、シート状の帯状体Ａへ温風を吹き出すことによって、帯状体Ａを乾燥させ、又は帯状体Ａを加熱処理する装置である。温風装置は、温風を吹き出すスリット状の吹出口１ａを有するノズル１と、吹出口１ａの長手方向における温度勾配が付与された気体をノズル１へ供給する温度勾配付与部２と、該温度勾配付与部２へ異なる温度の気体を送風する第１送風部３及び第２送風部４とを備える。
【００２３】
帯状体Ａは例えば帯状の金属泊、フィルム、紙、布、セラミック等である。帯状体Ａは、図示しない搬送機構を構成するローラによって支持され、該帯状体Ａの長手方向、例えば図２に示す左向き矢印方向へ搬送される。温風装置は、吹出口１ａの長手方向が帯状体Ａの幅方向に略一致し、該帯状体Ａに対向するように配置されている。搬送装置はローラを回転させることによって、帯状体Ａを吹出口１ａに対して相対移動させる。例えば、帯状体Ａの長手方向に沿って液体が塗布されている場合、帯状体Ａを長手方向へ移動させながら該帯状体Ａに温風を吹き付けることにより、帯状体Ａに塗布された液体を乾燥させることができる。本実施形態１に係る温風装置は帯状体Ａの乾燥処理のみならず、帯状体Ａの熱処理等が必要となる、あらゆる用途に本発明を適用しても良い。
【００２４】
以下、吹出口１ａの長手方向（図１中横方向）を横方向、温風装置から温風が吹き出される方向を上方向、その逆方向を下方向とする。横方向及び上下方向に直交する方向を前後方向とする。特に帯状体Ａの搬送方向下流側（図２中左側）を前方向、搬送方向上流側を後方向とする。
【００２５】
第１送風部３は、第１ファン３１を備える。第１ファン３１は例えばターボファン、シロッコファン等である。第１ファン３１の送風口には第１供給管３２の一端部が接続され、他端部は温度勾配付与部２の一側部に接続されている。第１供給管３２の途中には、第１供給管３２を通流する気体を加熱する第１ヒータ３３が設けられている。第１ヒータ３３は、例えば電気ヒータ、熱媒ヒータ等である。第１ファン３１から送風された気体は第１ヒータ３３にて加熱され、加熱された気体は第１供給管３２を通じて温度勾配付与部２へ供給される。
【００２６】
第２送風部４は、第１送風部３と同様の構成であり、第２ファン４１を備える。第２ファン４１の送風口には第２供給管４２の一端部が接続され、他端部は温度勾配付与部２の他側部に接続されている。第２供給管４２の途中には、第２供給管４２を通流する気体を加熱する第２ヒータ４３が設けられている。第２ヒータ４３は、例えば電気ヒータ、熱媒ヒータ等である。第２ヒータ４３の出力は第１ヒータ３３と異なる。例えば、第２ヒータ４３は第１ヒータ３３に比べて高出力であり、第２送風部４は、第１送風部３に比べて高温の気体を温度勾配付与部２へ供給する。
【００２７】
図４は温度勾配付与部２の要部を示す分解斜視図、図５は図２のV−V線断面図、図６は図１のVI−VI線断面図、図７は図１のVII−VII線断面図、図８は図１のVIII−VIII線断面図、図９は図８のIX−IX線断面図である。図１０は混合室前板２３ａの正面図である。
温度勾配付与部２は横方向に長い中空の直方体形状である。温度勾配付与部２は、内部が複数に区分けされ、第１送風部３及び第２送風部４からそれぞれ送風された気体を整流する第１整流部２１及び第２整流部２２と、整流された気体を混合し、ノズル１へ供給する混合室２３とを構成している。
【００２８】
温度勾配付与部２は横方向に長い長方形状の底板２ａを備える。底板２ａの横幅は、ノズル１に形成された吹出口１ａの長手方向の幅よりも長い。底板２ａの各縁には第１及び第２側板２ｂ，２ｃ、前板２ｄ及び後板２ｅが設けられており、各板の上端には天板２ｇが設けられている。また温度勾配付与部２は内部空間を上下に隔てる中板２ｆを備える。更に温度勾配付与部２は中板２ｆによって隔てられた下側の空間を前後に隔てる隔壁２ｈを備える。隔壁２ｈは、平面視において、底板２ａの長手方向に対して斜めに設けられている。該長手方向に対する隔壁２ｈの傾斜方向、傾斜角度は特に限定されない。
【００２９】
隔壁２ｈによって隔てられた温度勾配付与部２の前側部分は第１整流部２１の下部分に相当する第１ダクト２１ａを構成している。より具体的には第１ダクト２１ａは、底板２ａ、前板２ｄ、隔壁２ｈ、第１及び第２側板２ｂ，２ｃ並びに中板２ｆによって構成され、中空台形柱状の空間を形成している。第１ダクト２１ａは、第１側板２ｂ側の方が第２側板２ｃ側より広く、第１側板２ｂの下部に第１供給孔２ｉが形成されている。第１供給孔２ｉに第１供給管３２の端部が接続されている。
また、隔壁２ｈによって隔てられた温度勾配付与部２の後側部分は第２整流部２２の下部分に相当する第２ダクト２２ａを構成している。第２ダクト２２ａは、底板２ａ、後板２ｅ、隔壁２ｈ、第１及び第２側板２ｂ，２ｃ並びに中板２ｆによって構成され、中空台形柱状の空間を形成している。第２ダクト２２ａは、第２側板２ｃ側の方が第１側板２ｂ側より広く、第２側板２ｃの下部に第２供給孔２ｊが形成されている。第２供給孔２ｊには第２供給管４２の端部が接続されている。
【００３０】
また温度勾配付与部２は、中板２ｆによって隔てられた上側内部を、前後方向において３つに区分けする混合室前板２３ａ及び混合室後板２３ｂを備える。混合室前板２３ａ及び混合室後板２３ｂは、平面視において底板２ａの長手方向に略平行であり、混合室前板２３ａ、混合室後板２３ｂ、前板２ｄ及び後板２ｅの間隔は略等間隔である。混合室前板２３ａによって区分けされた温度勾配付与部２の前側部分は第１整流部２１の上部分に相当する第１誘導室を構成し、混合室後板２３ｂによって区分けされた温度勾配付与部２の後側部分は第２整流部２２の上部分に相当する第２誘導室を構成している。また、混合室前板２３ａ及び混合室後板２３ｂによって区分けされた温度勾配付与部２の前後方向中央部分は混合室２３を構成している。
【００３１】
具体的には第１案内室２１ｂは、中板２ｆ、前板２ｄ、混合室前板２３ａ、第１及び第２側板２ｂ，２ｃ並びに天板２ｇによって構成され、横長の中空直方体形状の空間を形成している。第１案内室２１ｂの底部を構成している中板２ｆ部分には第１整流孔２１ｃが形成されている。第１整流孔２１ｃは、例えば複数の丸孔であり、第１案内室２１ｂの底部全面に形成されている。第１ダクト２１ａに供給された気体は第１整流孔２１ｃを通流することによって整流され、第１案内室２１ｂへ流入する。
【００３２】
また、第２案内室２２ｂは、中板２ｆ、混合室後板２３ｂ、後板２ｅ、第１及び第２側板２ｂ，２ｃ並びに天板２ｇによって構成され、横長の中空直方体形状の空間を形成している。第２案内室２２ｂの底部を構成している中板２ｆ部分には第２整流孔２２ｃが形成されている。第２整流孔２２ｃは、例えば複数の丸孔であり、第２案内室２２ｂの底部全面に形成されている。第２ダクト２２ａに供給された気体は第２整流孔２２ｃを通流することによって整流され、第２案内室２２ｂへ流入する。
【００３３】
混合室前板２３ａには、第１送風部３から送風された気体が第１ダクト２１ａ及び第１案内室２１ｂを介して混合室２３に流入するための第１流入孔２３ｃが、長手方向に沿って複数形成されている。複数の第１流入孔２３ｃは、上下方向に長い長孔であり、混合室前板２３ａの長手方向両端に亘って等間隔に形成されている。各第１流入孔２３ｃの形状は略同一であり、上下位置も略同一である。
また混合室後板２３ｂには、第２送風部４から送風された気体が第２ダクト２２ａ及び第２案内室２２ｂを介して混合室２３に流入するための第２流入孔２３ｄが、長手方向に沿って複数形成されている。複数の第２流入孔２３ｄの構成は第１流入孔２３ｃと同様であるため、詳細な説明を省略する。
【００３４】
混合室前板２３ａの前面には、第１流入孔２３ｃを部分的に塞ぐ横長台形状の第１規制板２４がねじで固定されている。第１規制板２４の横幅は、第１流入孔２３ｃが形成されている範囲を超える長さである。第１規制板２４の上辺部分は底板２ａの長手方向に略平行な直線状であり、第１流入孔２３ｃの上端よりも上側に位置するように混合室前板２３ａに固定されている。第１規制板２４の下辺部分の稜線２４ｂは複数の第１流入孔２３ｃに亘る直線状をなし、第１規制板２４の上辺部分に対して傾斜している。第１規制板２４の上下方向の幅は第１側板２ｂ側から第２側板２ｃ側にかけて短くなっている。つまり、第１流入孔２３ｃの開口面積は第１側板２ｂ側の方が第２側板２ｃ側に比べて小さく、長手方向における第１流入孔２３ｃの開口面積の変化率は一定である。
第１規制板２４は、該第１規制板２４を混合室前板２３ａに固定するためのねじ孔２４ａを長手方向両端部の適宜箇所に有する。ねじ孔２４ａは長孔である。従って、第１規制板２４を固定しているねじを緩めることによって、第１規制板２４は上下方向に移動可能になる。第１規制板２４を上下方向に移動させることによって、第１流入孔２３ｃの開口面積を調整することができる。
【００３５】
混合室後板２３ｂの後面には、第２流入孔２３ｄを部分的に塞ぐ横長台形状の第２規制板２５がねじで固定されている。第２規制板２５の構成は、第１規制板２４と同様である。ただし、第２規制板２５の上下方向の幅は第２側板２ｃ側から第１側板２ｂ側にかけて短くなっている。つまり、第２流入孔２３ｄの開口面積は第２側板２ｃ側の方が第１側板２ｂ側に比べて小さく、長手方向における第２流入孔２３ｄの開口面積の変化率は一定である。また、長手方向に沿った各箇所における第１流入孔２３ｃの開口面積と、第２流入孔２３ｄの開口面積との和が略等しくなるように、第２規制板２５は混合室後板２３ｂに固定されている。つまり、第１流入孔２３ｃ及び第２流入孔２３ｄから混合室２３に流入し混合する気体の量が、混合室２３の長手方向において略均一になるように構成されている。
第２規制板２５は第１規制板２４と同様のねじ孔を有しており、第２規制板２５を固定しているねじを緩め、第２規制板２５を上下方向に移動させることによって、第２流入孔２３ｄの開口面積を調整することができる。
【００３６】
混合室２３は、中板２ｆ、混合室前板２３ａ、混合室後板２３ｂ、第１及び第２側板２ｂ，２ｃ並びに天板２ｇによって構成されており、横長の中空直方体形状の空間を形成している。混合室２３の上面部を構成している天板２ｇの部分には第３整流孔２３ｅが形成されている。第３整流孔２３ｅは、例えば複数の丸孔であり、混合室２３の上面部分全面に形成されている。第１流入孔２３ｃ及び第２流入孔２３ｄから混合室２３に流入した気体は混合室２３内で混合し、混合した気体は、第３整流孔２３ｅを通流することによって整流され、ノズル１へ供給される。
【００３７】
図１１はノズル１の側断面図である。ノズル１は、混合室２３の上側に下から順に設けられた下段整流室１１、中段整流室１２及び上段整流室１３を備える。下段整流室１１、中段整流室１２及び上段整流室１３はそれぞれ混合室２３と略同一の横幅を有する中空直方体形状をなし、各整流室を隔てる板には整流孔が形成されている。上段整流室１３の上面部には長手方向に沿ったスリット状の吹出口１ａが形成されている。温度勾配付与部２から供給された気体は、まず下段整流室１１へ供給される。下段整流室１１に供給された気体は下段整流室１１から中段整流室１２、中段整流室１２から上段整流室１３へ流れる過程で整流され、整流された温風が吹出口１ａから上方へ吹き出す。
【００３８】
次に本実施形態１に係る温風装置の作用効果を説明する。
図１２は第１及び第２送風部３、４から第１及び第２ダクト２１ａ、２２ａに流入した気体の状態を示す概念図である。図１２Ａは第１及び第２ダクト２１ａ、２２ａに流入した気体を概念的に示す平面図、図１２Ｂは第１及び第２ダクト２１ａ、２２ａに流入した気体を概念的に示す温風装置の側断面図である。第１送風部３から送風された気体は、第１ダクト２１ａに供給され、第２送風部４から供給された気体は第２ダクト２２ａに供給される。第２ダクト２２ａに供給される気体は、第１ダクト２１ａに供給される気体よりも高温である。
第１ダクト２１ａに供給された気体は、吹出口１ａの長手方向に平行な方向、つまり第１ダクト２１ａの長手方向へ通流し、第１整流孔２１ｃを通じて第１案内室２１ｂへ流入する。第１ダクト２１ａは、長手方向における上流側よりも下流側の方が狭く形成されているため、下流側における気体の風量の低下を抑えることができる。従って、第１ダクト２１ａから第１案内室２１ｂへ流入する気体の風量を長手方向において略均一にすることができる。
第２ダクト２２ａに供給された気体も同様にして、第２ダクト２２ａから第２案内室２２ｂへ流入する。第２ダクト２２ａから第２案内室２２ｂへ流入する気体の風量は長手方向において略均一である。
【００３９】
図１３は第１及び第２案内室２１ｂ，２２ｂから混合室２３へ流入する気体の風量を示す概念図である。図１３Ａは第２案内室２２ｂから混合室２３に流入する気体を概念的に示す平面図、図１３Ｂは第１案内室２１ｂから混合室２３に流入する気体を概念的に示す平面図である。
混合室後板２３ｂに形成された複数の第２流入孔２３ｄの開口面積は、第２側板２ｃ側から第１側板２ｂ側にかけて正比例的に大きくなるように構成されている。従って、図１３Ａに示すように第２案内室２２ｂから混合室２３へ流入する気体の量も第２側板２ｃ側から第１側板２ｂ側にかけて正比例的に大きくなる。
混合室前板２３ａに形成された複数の第１流入孔２３ｃの開口面積は、第１側板２ｂ側から第２側板２ｃ側にかけて正比例的に大きくなるように構成されている。従って、図１３Ｂに示すように第１案内室２１ｂから混合室２３へ流入する気体の量も第１側板２ｂ側から第２側板２ｃ側にかけて正比例的に大きくなる。
【００４０】
図１４は第１及び第２送風部３、４から第１及び第２案内室２１ｂ、２２ｂを経由して混合室２３に流入する気体の風量、及び混合室２３に流入した気体の混合状態を示す概念図である。図１４Ａは、第１及び第２案内室２１ｂ、２２ｂから混合室２３に流入し混合する気体の風量を概念的に示す平面図、図１４Ｂは混合室２３に流入し、流入した気体が混合している状態を概念的に示す側断面図である。第１及び第２案内室２１ｂ、２２ｂから混合室２３に流入した気体は、図１４Ｂに示すように混合室２３において混合する。混合室２３の長手方向に沿った各箇所における第１流入孔２３ｃ及び第２流入孔２３ｄの開口面積の和は等しいため、混合室２３で混合する気体の量は、図１４Ａに示すように、長手方向において略均一である。従って、混合室２３で混合し、ノズル１へ供給される気体の風量は長手方向において略均一である。また、ノズル１へ供給される気体は、長手方向において直線的な温度勾配を有する。
【００４１】
図１５は温風装置から吹き出される気体の温度測定結果を示すグラフである。横軸は吹出口１ａの長手方向における位置、縦軸は吹出口１ａから吹き出される温風の温度を示す。図１５中、細線は吹出口１ａから吹き出される温風の温度の理論値である。破線は理論値からの温度バラツキの許容範囲を示している。太線は吹出口１ａから吹き出された温風の温度を長手方向の各位置で測定した実測値を示している。図１５に示すように、吹出口１ａから吹き出される気体の温度は直線的な温度勾配を有しており、温度バラツキは理論値を中心にして−２．５℃〜２．５℃の範囲内に収まっている。
【００４２】
このように構成された実施形態１の温風装置によれば、吹出口１ａから吹き出される温風に、該吹出口１ａの長手方向における温度勾配を与え、かつ吹出口１ａから吹き出される温風の量を該長手方向において均一にすることができる。
【００４３】
また、本実施形態においては、吹出口１ａから吹き出される温風に対して、該吹出口１ａの長手方向における直線的な温度勾配を付与することができる。
【００４４】
更に、混合室前板２３ａ及び混合室後板２３ｂに第１及び第２規制板２４、２５をねじによって固定する構成であるため、規制板の固定位置を調整することによって、第１及び第２流入孔２３ｃ、２３ｄの開口面積を容易に調整することができる。つまり、吹出口１ａから吹き出される温風の温度勾配を容易に調整することができる。
【００４５】
更にまた、長孔の第１及び第２流入孔２３ｃ、２３ｄを、略台形状の規制板によって部分的に塞ぐ構成であるため、吹出口１ａの長手方向における第１及び第２流入孔２３ｃ、２３ｄの開口面積の変化率を一定にすることができる。
【００４６】
更にまた、第１及び第２送風部３、４から送風された気体を第１及び第２整流部２１、２２にて整流し、混合室２３へ流入させる構成であるため、吹出口１ａから吹き出される温風の量の均一性を向上させることができる。また、混合室２３にて混合する気体に対して所望の温度勾配を精度良く与えることができる。
【００４７】
更にまた、第１及び第２ダクト２１ａ、２２ａにおける気体の通流方向下流側の方が上流側に比べて狭く構成されているため、第１及び第２ダクト２１ａ、２２ａの下流側における気体の風量の減少を抑えることができる。第１及び第２ダクト２１ａ、２２ａから第１及び第２案内室２１ｂ、２２ｂに流入する気体の風量が略均一であれば、第１及び第２流入孔２３ｃ、２３ｄから混合室２３に流入する気体の量は、第１及び第２流入孔２３ｃ、２３ｄの開口面積に略比例する。従って、吹出口１ａから吹き出される温風の量の均一性を向上させることができる。また、混合室２３にて混合する気体に対して所望の温度勾配を精度良く与えることができる。
【００４８】
なお、本実施形態１では、第１及び第２流入孔として、複数の長孔を説明したが、吹出口の長手方向に略平行な方向に沿って開口面積が変化するように構成であれば、第１及び第２流入孔の形状及び数は特に限定されない。例えば、混合室前板及び混合室後板の全面に丸形状の複数の孔を形成し、第１及び第２規制板によって、開口面積を規制するように構成しても良い。
【００４９】
また、本実施形態１では、複数の長孔である第１及び第２流入孔を、第１及び第２規制板によって部分的に塞ぐことにより、第１及び第２流入孔の開口面積を規制する例を説明したが、吹出口の長手方向に略平行な方向に沿って、開口面積が増加又は減少する複数の孔を混合室前板２３ａ及び混合室後板２３ｂに形成し、第１及び第２規制板を備えない構成にしても良い。
【００５０】
更に、本実施形態１では、第１及び第２ダクトの前後方向の幅が、気体の通流方向上流側から下流側にかけて小さくなるように構成する例を説明したが、気体の通流方向上流側から下流側にかけて第１及び第２ダクトの上下方向の幅が小さくなるように構成しても良い。
【００５１】
更にまた、本実施形態における第１及び第２ダクト、第１及び第２案内室、混合室の配置は一例であり、各部の位置関係は特に限定されない。例えば、混合室の前後方向両側に、第１ダクト及び第２ダクトを配置し、第１及び第２案内室を備えない構成にしても良い。
【００５２】
更にまた、第１及び第２流入孔を、対向する混合室前板及び混合室後板に形成する例を説明したが、非対向板又は同一板に第１及び第２流入孔を形成しても良い。
【００５３】
なお、上述の実施形態１においては、第２送風部４から送風される気体の温度が、第１送風部３から送風される気体の温度に比べて高い場合を説明したが、逆に第１送風部３から送風される気体の温度を、第２送風部４から送風される気体の温度に比べて高温にすることも可能である。この場合、吹出口１ａから送風される温風の温度勾配は、上述の実施形態１の温度勾配と逆向きになる。
【００５４】
図１６は第１送風部３から送風される気体の温度を、第２送風部４から送風される気体の温度に比べて高温に設定した温風装置から吹き出される気体の温度測定結果を示すグラフである。横軸は吹出口１ａの長手方向における位置、縦軸は吹出口１ａから吹き出される温風の温度を示す。直線、破線は図１５と同様、温度勾配の理論値、許容範囲をそれぞれ示している。第１送風部３から送風される気体の温度を、第２送風部４から送風される気体の温度に比べて高温に設定した場合においても図１６に示すように、吹出口１ａから吹き出される気体の温度は直線的な温度勾配を有しており、温度バラツキは理論値を中心にして−２．５℃〜２．５℃の範囲内に収まっている。
【００５５】
（実施形態２）
図１７は実施形態２に係る温風勾配付与部２０２の分解斜視図である。実施形態２に係る温風装置は、第１及び第２規制板２２４、２２５並びに天板２ｇの構成が実施形態１と異なるため、以下では主かかる相違点を説明する。
【００５６】
実施形態２に係る天板２ｇは、第１及び第２規制板２２４、２２５の一部を温風装置の外部へ突出させるためのスリット２０２ｋを有する。スリット２０２ｋは、平面視において第１及び第２規制板２２４、２２５の一端部に対応する箇所に形成されている。第１規制板２２４を突出させるためのスリット２０２ｋは第１側板２ｂ側に形成され、第２規制板２２５を突出させるためのスリット２０２ｋは第２側板２ｃ側に形成されている。スリット２０２ｋの幅は第１規制板２２４の厚みと略同一である。第１及び第２規制板２２４、２２５と、スリット２０２ｋとの間隙は、気体が第１及び第２案内室２１ｂ、２２ｂから外部へリークしないようにシールされている。
【００５７】
第１規制板２２４は横長台形状であり、上下方向における第１側板２ｂ側の上下方向の幅が第１案内室２１ｂより長くなるように形成され、第１側板２ｂ側の角部分２２４ｃがスリット２０２ｋから外部へ突出する。
同様に第２規制板２２５は横長台形状であり、上下方向における第２側板２ｃ側の上下方向の幅が第２案内室２２ｂより長くなるように形成され、第２側板２ｃ側の角部分２２５ｃがスリット２０２ｋから外部へ突出する。
【００５８】
実施形態２に係る温風装置によれば、温風装置の外部へ突出した第１規制板２２４及び第２規制板２２５の角部分２２４ｃ、２２５ｃの位置調整により、第１及び第２流入孔２３ｃ、２３ｄの開口面積を調整し、吹出口１ａから吹き出される温風の温度勾配を調整することができる。
【００５９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６０】
１  ノズル
１ａ  吹出口
２  温度勾配付与部
２ａ  底板
２ｂ  第１側板
２ｃ  第２側板
２ｄ  前板
２ｅ  後板
２ｆ  中板
２ｇ  天板
２ｈ  隔壁
２ｉ  第１供給孔
２ｊ  第２供給孔
３  第１送風部
４  第２送風部
１１  下段整流室
１２  中段整流室
１３  上段整流室
２１  第１整流部
２１ａ  第１ダクト
２１ｂ  第１案内室
２１ｃ  第１整流孔
２２  第２整流部
２２ａ  第２ダクト
２２ｂ  第２案内室
２２ｃ  第２整流孔
２３  混合室
２３ａ  混合室前板
２３ｂ  混合室後板
２３ｃ  第１流入孔
２３ｄ  第２流入孔
２３ｅ  第３整流孔
２４  第１規制板
２４ａ  ねじ孔
２４ｂ  稜線
２５  第２規制板
３１  第１ファン
３２  第１供給管
３３  第１ヒータ
４１  第２ファン
４２  第２供給管
４３  第２ヒータ
Ａ  帯状体
【図１】
2020143877.tif 000003
【図２】
2020143877.tif 000004
【図３】
2020143877.tif 000005
【図４】
2020143877.tif 000006
【図５】
2020143877.tif 000007
【図６】
2020143877.tif 000008
【図７】
2020143877.tif 000009
【図８】
2020143877.tif 000010
【図９】
2020143877.tif 000011
【図１０】
2020143877.tif 000012
【図１１】
2020143877.tif 000013
【図１２】
2020143877.tif 000014
【図１３】
2020143877.tif 000015
【図１４】
2020143877.tif 000016
【図１５】
2020143877.tif 000017
【図１６】
2020143877.tif 000018
【図１７】
2020143877.tif 000019